(57)【要約】      （修正有）【課題】屋形テントのフレームに天幕を張る作業の省力化を図る開閉式引締め具を提供する。【解決手段】下蓋１２と上蓋１３を有し、下蓋１２は上蓋１３より僅かに狭く作ってあり、ピン１５で両者をカシメて開閉構造に成っている。上蓋１３内には双頭ピン１６が、両側面計３つの孔に嵌め込む形で装着され、その軸部にはバネ１７が軸着されている。双頭ピン１６はバネ作用で自然状態では上蓋１３の側面から突出しており、直側を曲側より長くしてある。本具の閉時は曲側が下蓋１２の対向孔に刺さって開かず、直側を押込めば曲側ピン頭が後退し下蓋１２の孔から抜けて開く構造である。本具の開閉は上蓋１３の下端を摘んで行うので、突出した双頭ピン１６の直側ピン頭にはおのずと指が触れ、特に意識せずとも開く時は押込み、閉じて離すとバネ作用で戻って自然にロックされる。【選択図】図１
0003213945.tif 000002
【実用新案登録請求の範囲】
【請求項１】
屋形テントの天幕と梁との接続具であって、梁側に装着され、本具の開閉に伴う付隋フックの位置変わりによって、上述の両者を引き付けて接続する、片手操作可能でオートロック機構を備えていることを特徴とする開閉式引締め具。
【考案の詳細な説明】
【技術分野】
【０００１】  本考案は屋形テントのフレームに天幕を張る作業の省力化を図る接続構造に関する。
【背景技術】
【０００２】  従来屋形テントに天幕を張るには、金属フレーム中の梁に天幕内周に溶着された布帯を紐かバックル付バンドで締め付けるのが一般的である。【０００３】  以下図２により従来の一般的天幕取付け方法を説明する。図２（ｂ）を（ｃ）に取付けるのだが、具体的には（ｂ）１天幕の４辺内周に熱溶着された（ｂ）２の布帯を（ｃ）６の梁に接続するのである。以下その具体的接続方法を図２（ａ）で説明する。
これは天幕内から見た布帯２の正面図である。約４５ｃｍ間隔で３のハトメが打ってあり、それに結ばれてある４の紐を前述６の梁に縛るのである。
他に３、４の代わりにバックル付き布ベルトを布帯に縫い付けたものもある。【０００４】  図２（ｃ）は金属フレームの骨組みであって、６（梁）、７（柱）、８（梁を柱頭部へ差込む為の梁受サヤ）、９（梁が柱から抜けない為と躯体強度保持目的の頬杖）、１０（屋根合掌材）、１１（屋根嶺材）で構成されている。
【考案の概要】
【考案が解決しようとする課題】
【０００５】  金属フレームは組立てればブロック化して頑丈な一方、幕はフワフワした布製ゆえ風圧に耐え綺麗な外観に仕上げるには、多数箇所で接続せねばならない。また、Ｓ字フック様のもので、引っ掛けるだけなら簡単だが、それではメーカーにより、又は天幕の洗い縮みにより、布帯と梁の間隔に差がある事や、風向きと風圧によって外れる危険性がある為、手間の掛かる前述方法に依存せざるを得なかった。【０００６】  ２間ｘ３間（６坪）テントの場合で約４０ケ所と要接続個所は多く、高い手の位置で頭を反らしての作業はつらく、特に多量に使うイベント用の場合、会場使用日時の制約の上突貫設営と成るのが常で、作業者への負荷共々使用者のコスト負担は大きく、その省力化が大きな課題となっている。【０００７】  本考案は、斯様なハードで手間の掛かる作業を大幅に軽減し、簡単で綺麗に張れ、かつ、風圧に耐え得る接続具を提供するする事を目的とするものである。
【課題を解決するための手段】
【０００８】  課題で述べた接続間距離に差異が有っても、開閉式により位置変わりする付随フックとその取付位置替えによって距離調節が出来る考案の接続具で、これを解決出来る。【０００９】  既存の引き締め方法では離れた距離を両手で引き付けられるが、本考案の如き引っ掛け式の場合は、片手で幕端を引っ張って梁等と接近させた状態で掛けなければならない。その解決の為、片手操作可能な本具の構造を考案したのである。
【考案の効果】
【００１０】  引っ張って緩まぬように結ぶ、或いはバックル式の様に接続してから引き締める、と言うツーステップ動作を、片手開閉オートロック機構で、ワンステップ動作とすることにより、作業は非常に早く楽に出来る。【００１１】機械的に確実な接続と、如何なる風向きにも外れず強度的信頼性は抜群である。【００１２】  既存の梁や柱にもパイプバンドを介して取り付けることが出来、ユーザーにとっての経済的効果は大きい。
【図面の簡単な説明】
【００１３】
【図１】  考案接続具の構成部品図（ａ）、天幕内周布帯に装着した状態の外観図（ｂ）
【図２】  従来の天幕内周布帯の正面図（ａ）、天幕の外観斜視図（ｂ）、フレームの構成斜視図（ｃ）
【考案を実施するための形態】
【００１４】  以下、本考案の実施の形態を図１に基づいて説明する。
【００１５】  （ａ）は構成部品図で、１２下蓋は平面（右）・側面（左）・正面図（下）、１３上蓋は平面図（左）と側面図（右）である。１２下蓋は１３上蓋より僅かに狭く作ってあり、１５のピンで両者をカシメて開閉構造に成っている。１３内には１６双頭ピンが図に示す如く、両側面計３つの孔に嵌め込む形で装着され、その軸部には１７バネが軸着されている。
【００１６】  １６の双頭ピンはバネ作用で自然状態では１３の側面から突出しており、直側を曲側より長くしてある。本具の閉時は曲側が１２の対向孔に刺さって開かず、直側を押込めば曲側ピン頭が後退し１２の孔から抜けて開く構造である。
【００１７】  次にオートロック機構について説明する。本具の開閉は１３の下端を摘んで行うので、突出した１６の直側ピン頭にはおのずと指が触れ、特に意識せずとも開く時は押込み、閉じて離すとバネ作用で戻って自然にロックされる。
【００１８】  しかし、片手操作の作業状態に於いては、１３側面の直側ピンを押込んだままの状態を保って閉じるより、ピンを離しても閉じられれば、より便利であり、１２下部の湾曲突出形状２０でこれを可能にしてある。つまり、閉じるにつれて突出部２０がピン１６と１２の内壁面の隙間にはまり、ピンを後退させることによって閉じ、突出部２０が１６ピンより下へ過ぎた時点で、ピンがバネ作用で戻ってロックされる。開く力が掛かっても、２０突出部の上端面が１６ピンの下面に当たり、開く恐れはない。
【００１９】  １８のバネはロック解除と同時に上下を半開きとし、作業を俊敏化する為のもの。
【００２０】  （ａ）１４のフックは上蓋１３中央両側面の孔１９の内、何れかの適当位置に装着する。３箇所６個孔はフックの掛かる位置差による距離調整の目的である。なお、１９の位置に対応する１２下蓋中央部の高さを低くし、フック付け根部と干渉しない様になっている。
【００２１】  図１（ｂ）は本具の１２下蓋を６梁に着設し、１天幕内周に溶着された２布帯に打たれた３ハトメに１４フックが掛かり、天幕が梁と接続された状況の模式図である。
本具の破線と実線は開閉による引き締め前後の１３，１４の動きを表す。
【００２２】  従来これに類似するものはトランクケースに使われるパチン錠や、トラックのアオリに使われる掛け金があるが、これらは概してごく近い固定間隔を直線的に繋ぐもので、テントの様に接続物の間隔不同、かつ、風向きで牽引方向が変わる用途に使われる類を見ない。また、片手操作可能なオートロック機構も具備していない。
【符号の説明】
【００２３】１    天幕
２    天幕内周の布帯
３    ハトメ
５    横幕
６    フレームの梁
７    フレームの柱
１２  考案の接続具中の下蓋
１３  同上蓋
１４  同フック
１６  同双頭ピン
１７  同バネ
【図１】
0003213945.tif 000003
【図２】
0003213945.tif 000004